(57)【特許請求の範囲】
【請求項１】
外壁パネルの目地構造において、
水平の目地部または垂直の目地部の一方に装着されるシール材は、断面が円形または略円形の第１の乾式シール材であり、他方に装着されるシール材は、断面が方形または台形で前記第１の乾式シール材よりも軟質の第２の乾式シール材であり、
前記第１、第２の乾式シール材は、水平の目地部と垂直の目地部との交差部において夫々連続状態で交差し、
前記交差部では、前記第１の乾式シール材が前記第２の乾式シール材を圧縮し、該第２の乾式シール材側にめり込んだ状態で装着されていることを特徴とする外壁パネルの目地構造。
【請求項２】
前記第１、第２の乾式シール材が装着された目地部の表面側に沿って湿式シール材が充填されたことを特徴とする請求項１に記載の外壁パネルの目地構造。
【発明の詳細な説明】
【０００１】
【発明の属する技術分野】
本発明は、外壁パネルの目地構造に係り、特に現場施工されるＡＬＣ（軽量気泡コンクリート）パネル相互の目地部やドア、窓サッシとの目地部にシール材を設ける場合に好適な外壁パネルの目地構造に関するものである。
【０００２】
【従来の技術】
従来の外壁パネルの目地構造は、図10に示すように、上下左右に隣設して配置され、外壁を構成するＡＬＣパネル51の目地部の内側（建物の内側）に防水機能を有さない丸型または角型のシーリング用バックアップ材52，53を装着した後、ＡＬＣパネル51の目地小口面に刷毛54等によりシーリング用プライマーを塗布し、その後、アクリル系、ウレタン系、変性シリコン系等の汎用の湿式シール材55を充填したものが一般的である。
【０００３】
【発明が解決しようとする課題】
しかしながら、前述の従来例では、湿式シール材55のみで目地部の水密性能を確保しているため施工不良や該湿式シール材55の経年劣化により湿式シール材55の水密性能が失われた場合、直ちに漏水となり、建物内部まで及ぶ大がかりな被害が発生する虞があった。
【０００４】
また、ＡＬＣパネル51相互間の目地幅が狭く、ＡＬＣパネル51自体の吸水性が高いためプライマー塗布や湿式シール材55の充填に手間がかかり、万一施工不良が生じていてもその不良箇所が目視し難いという問題があった。
【０００５】
これを防止するために目地部の内側に沿ってゴム材等の乾式シール材を配置し、更に該目地部の表面側に沿って湿式シール材55を配置した２重シール構造としたものもあるが、ゴム材等の乾式シール材では圧縮率を高めなければ必要とする水密性能を確保することが出来ず、通常は、ＡＬＣパネル51の取付前に予めＡＬＣパネル51の目地小口面に乾式シール材を固定した後で隣設するＡＬＣパネル51同士を押し付けて目地部の乾式シール材を圧縮した状態でＡＬＣパネル51を施工することで乾式シール材による水密性能を確保するようになっており、ＡＬＣパネル51の取付後に該乾式シール材を施工することが困難であるためＡＬＣパネル51の施工方法や施工順序が制約され、施工作業に手間がかかる上、メンテナンス時に該乾式シール材の交換が困難であるという問題があった。
【０００６】
また、図10の縦横の目地の交差部は十字形状のように特殊形状の乾式シール材を使用するため該乾式シール材の形状の種類が増大して部品コストが増大し、目地交差部と目地直線部の乾式シール材の継ぎ目が多数発生するため、施工が繁雑になり、水密性能上の欠陥が発生し易いという問題があった。
【０００７】
本発明は前記課題を解決するものであり、その目的とするところは、吸水膨潤性の乾式シール材と湿式シール材により２重シール構造として水密性能を確保し、外壁パネルの取付後に吸水膨潤性の乾式シール材及び湿式シール材を施工することが出来るので外壁パネルの施工作業が容易に出来、吸水膨潤性の乾式シール材を目地交差部において重ねて連続状態で交差させることが出来るので目地交差部に特殊形状の乾式シール材を使用する必要がなく、シール材の部品点数を削減してコストダウンを図ると共に継ぎ目の数を削減して水密性能を向上することが出来る外壁パネルの目地構造を提供せんとするものである。
【０００８】
【課題を解決するための手段】
前記目的を達成するための本発明に係る外壁パネルの目地構造の第１の構成は、外壁パネルの目地構造において、水平の目地部または垂直の目地部の一方に装着されるシール材は、断面が円形または略円形の第１の乾式シール材であり、他方に装着されるシール材は、断面が方形または台形で前記第１の乾式シール材よりも軟質の第２の乾式シール材であり、前記第１、第２の乾式シール材は、水平の目地部と垂直の目地部との交差部において夫々連続状態で交差し、前記交差部では、前記第１の乾式シール材が前記第２の乾式シール材を圧縮し、該第２の乾式シール材側にめり込んだ状態で装着されていることを特徴とする。
【０００９】
また、本発明に係る外壁パネルの目地構造の第２の構成は、前記第１の構成において、前記第１、第２の乾式シール材が装着された目地部の表面側に沿って湿式シール材が充填されたことを特徴とする。
【００１０】
上記構成によれば、吸水膨潤性の乾式シール材と湿式シール材により２重シール構造として水密性能を確保して確実に防水することが出来る。しかも吸水膨潤性の乾式シール材は浸水により膨潤する性質を有するので、万一浸水してもそれが建物内部に漏れることを効果的に防止することが出来る。また、吸水膨潤性の乾式シール材が湿式シール材のバックアップ材の機能を兼ね備えているので有利である。
【００１１】
また、水平の目地部と垂直の目地部が交差する場合に、それ等の目地部に装着する前記乾式シール材が交差部において夫々連続状態で交差する場合には、従来例のように単なるゴム材を使用した乾式シール材のように交差部における確実なシールを確保するために交差部分のシール材を特殊な形状に成形することなくそのまま重ねるようにしたので構造が簡単で施工性も良く、シール材の部品点数を削減してコストダウンを図ると共に継ぎ目の数を削減して水密性能を向上することが出来る。
【００１２】
また、水平の目地部または垂直の目地部の一方に装着される前記乾式シール材の断面が円形または略円形であり、他方に装着される前記乾式シール材の断面が方形または台形である場合には、目地交差部のシール性が良く、施工性も良い。
【００１３】
【発明の実施の形態】
図により本発明に係る外壁パネルの目地構造の一実施形態を具体的に説明する。図１は本発明に係る外壁パネルの目地構造の第１実施形態を示す斜視図、図２は第１実施形態の横目地部の構成を示す縦断面説明図、図３は第１実施形態の縦目地部の構成を示す横断面説明図、図４（ａ）は横目地部に断面が台形の乾式シール材を挿入した様子を示す縦断面説明図、図４（ｂ）は縦目地部に断面が円形の乾式シール材を挿入した様子を示す横断面説明図、図５（ａ）は図４（ａ），（ｂ）の乾式シール材の交差部の様子を示す縦断面説明図、図５（ｂ）は図４（ａ），（ｂ）の乾式シール材の交差部の様子を示す横断面説明図、図６（ａ），（ｂ）は目地交差部で乾式シール材が開放されて外壁パネルの角の形状に馴染む様子を示す断面説明図、図７は本発明に係る外壁パネルの目地構造の第２実施形態を示す横断面説明図、図８は本発明に係る外壁パネルの目地構造の第３実施形態を示す斜視図、図９は第３実施形態の縦目地部の構成を示す横断面説明図である。
【００１４】
図１〜図６において、１は建物の外壁パネルとなるＡＬＣ（軽量気泡コンクリート）パネルであって、図示しない支持手段によって互いに隣設して配置して支持されている。また、ＡＬＣパネル１の表面側（建物の外側）で垂直の目地部となる縦目地部３に沿って吸水膨潤性の乾式シール材５及び湿式シール材６を設けるための切欠部１ａが形成されている。
【００１５】
図２に示す水平の目地部となる横目地部２及び図３に示す垂直の目地部となる縦目地部３のシール構造としては、先ず、上下左右に隣設されたＡＬＣパネル１の横目地部２及び縦目地部３の小口面に各目地部２，３の内側（建物の内側）に沿って吸水膨潤性の乾式シール材４，５を建物の外側から装着した後、シーリング用プライマーを塗布し、該目地部２，３の表面側（建物の外側）に沿って湿式シール材６が充填されている。
【００１６】
吸水膨潤性の乾式シール材４，５は、本実施形態では吸水性ポリマーを混入した軟質ウレタンフォーム（例えば、日本発条株式会社製ニッパロンＪＳタイプ等）からなり、横目地部２用の乾式シール材４を軟質タイプで構成し、縦目地部３用の乾式シール材５を標準硬さで構成したものである。
【００１７】
また、乾式シール材４，５は横目地部２及び縦目地部３の目地幅よりも大きい幅を有し、且つＡＬＣパネル１の幅及び長さよりも大きい長さを有して複数のＡＬＣパネル１に跨がって配置され、横目地部２及び縦目地部３の交差部において夫々連続状態で交差するようになっており、ＡＬＣパネル１を隣設して施工した後、建物の外側から各目地部２，３に挿入出来るようになっている。
【００１８】
乾式シール材４，５の外形形状は一定の圧縮率を確保出来れば各種の形状のものが適用出来るが、図４（ａ），（ｂ）に示すように、横目地部２に挿入される乾式シール材４の断面を台形で構成し、縦目地部３に挿入される乾式シール材５の断面を円形で構成すれば特に好ましい。
【００１９】
このように構成したことで、図５（ａ），（ｂ）に示すように、横目地部２の乾式シール材４のＡＬＣパネル１の小口面に圧接する止水部４ａと、縦目地部３の乾式シール材５のＡＬＣパネル１の小口面に圧接する止水部５ａとを連続（接触）させることが出来、乾式シール材４，５の交差部７でも水密性を確保して漏水の発生を確実に防止することが出来る。
【００２０】
また、ＡＬＣパネル１は製造時や製造後に小さい欠けや削れが発生することがあり、各目地部２，３の小口面においても完全な直角が確保される保障がないが、図６（ａ），（ｂ）に示すように、横目地部２の乾式シール材４と縦目地部３の乾式シール材５が交差部７で圧縮力が開放されて拡張することにより上下左右に隣設された各ＡＬＣパネル１の角部の形状に馴染んで密接し、水密性を確保することが出来る。
【００２１】
本実施形態では、図４（ａ），（ｂ）に示すように、例えば、隣設するＡＬＣパネル１の横目地部２の幅が１０mm、乾式シール材４の断面台形の上底４ｂの長さが１０mm、下底４ｃの長さが１５mm、高さ４ｄが２０mmで軟質で構成され、隣設するＡＬＣパネル１の縦目地部３の幅が９mm、乾式シール材５の断面円形の外径が１５mmで硬質で構成されている。この場合の乾式シール材４，５の圧縮率は４７％〜１３％の値で設定されている。
【００２２】
尚、乾式シール材４の断面は台形以外に方形や他の多角形で構成しても良いが、断面を台形で構成した場合には図４（ａ）に示すように横目地部２に対して乾式シール材４の上底４ｂ側から挿入することで挿入作業が容易に出来、好ましい。また、乾式シール材５の断面は円形以外に長円形や楕円形等の略円形で構成しても良い。
【００２３】
また、湿式シール材６はアクリル系、ウレタン系、変性シリコン系等の汎用のものを用いることが出来る。
【００２４】
次に吸水膨潤性の乾式シール材４，５の吸水膨潤のメカニズムについて吸水性ポリマー混入軟質ウレタンフォームを用いた場合について説明する。先ず、湿式シール材６からの漏水により吸水性ポリマー混入軟質ウレタンフォームの乾式シール材４，５の表面に侵入した水は、最初は該ウレタンフォーム材の圧縮力による止水機能により水の侵入を防止する。
【００２５】
次にウレタンフォーム全体に分散している吸水性ポリマーの内、水に接触している部分の吸水性ポリマーのみが吸水して膨潤する。この膨潤によりウレタンフォームのセル内の空間を埋め、連続気泡の水の通路を遮蔽すると共に膨潤することにより接触界面の圧縮力が増加して水密性能を向上させる。
【００２６】
また、各目地部２，３に挿入された乾式シール材４，５は水密機能の他に湿式シール材６のバックアップ材を兼ねると共に湿式シール材６の３面接着を防止することが出来るので湿式シール材６の亀裂を防止することが出来る。
【００２７】
尚、本実施形態では、横目地部２に装着する乾式シール材４の形状を断面が方形または台形または他の多角形で構成し、縦目地部３に装着する乾式シール材５の形状を断面が円形または長円形、楕円形の略円形で構成したが、これとは逆に縦目地部３に装着する乾式シール材５の形状を断面が方形または台形または他の多角形で構成し、横目地部２に装着する乾式シール材４の形状を断面が円形または長円形、楕円形の略円形で構成しても良い。
【００２８】
上記構成によれば、吸水膨潤性の乾式シール材４，５と湿式シール材６により２重シール構造として水密性能を確保して確実に防水することが出来、乾式シール材４，５は浸水により膨潤する性質を有するので、万一浸水してもそれが建物の内部に漏れることを効果的に防止することが出来る。また、各目地部２，３の目地幅の寸法誤差を吸収することが出来る。また、乾式シール材４，５が湿式シール材６のバックアップ材の機能を兼ねるので有利である。
【００２９】
また、横目地部２と縦目地部３が交差する場合に、それ等の目地部に装着する乾式シール材４，５が交差部７において夫々連続状態で交差するので、前述した従来例のように単なるゴム材を使用した乾式シール材のように交差部における確実なシールを確保するために交差部分のシール材を特殊な形状に成形することなくそのまま重ねるようにしたので構造が簡単で施工性も良く、シール材の部品点数を削減してコストダウンを図ると共に継ぎ目の数を削減して水密性能を向上することが出来る。
【００３０】
また、横目地部２または縦目地部３の一方に装着される乾式シール材の断面が円形または略円形であり、他方に装着される乾式シール材の断面が方形または台形である場合には、目地交差部のシール性が良く、施工性も良い。
【００３１】
また、乾式シール材４，５は湿式シール材６の奥側（建物の内側）に設置されるため外部からの紫外線、熱、オゾン等の劣化要因の影響を受け難いため保全が確保される。
【００３２】
また、ＡＬＣパネル１の施工後に乾式シール材４，５を建物の外部から挿入して装着出来るので施工作業が容易であると共にメンテナンス時に乾式シール材４，５を交換する作業が容易に出来る。
【００３３】
次に図７を用いて本発明に係る外壁パネルの目地構造の第２実施形態について説明する。尚、前記第１実施形態と同様に構成したものは同一の符号を付して説明を省略する。
【００３４】
図７は建物の出隅部におけるシール構造を示すものである。建物の出隅部を形成する外壁パネルとなるＡＬＣコーナーパネル11が左右に直交して配置された平面状のＡＬＣパネル１に隣設され、ＡＬＣコーナーパネル11の小口面と平面状のＡＬＣパネル１の小口面との間に縦目地部３が形成されている。
【００３５】
そして、前述した第１実施形態と同様に平面状のＡＬＣパネル１の切欠部１ａとＡＬＣコーナーパネル11の小口面との間に建物の外側から縦目地部３の内側に沿って乾式シール材５が挿入して装着され、該縦目地部３の表面側に沿って湿式シール材６が充填される。
【００３６】
また、図示しないが、上下に隣設されるＡＬＣコーナーパネル11及び平面状のＡＬＣパネル１の夫々の横目地部には前述した第１実施形態と同様に建物の外側から該横目地部の内側に沿って乾式シール材５が挿入して装着され、該横目地部の表面側に沿って湿式シール材６が充填される。他の構成は、前記第１実施形態と同様に構成され、同様な効果を得ることが出来る。
【００３７】
次に図８及び図９を用いて本発明に係る外壁パネルの目地構造の第３実施形態について説明する。尚、前記第１実施形態と同様に構成したものは同一の符号を付して説明を省略する。
【００３８】
図８及び図９は建物の入隅部におけるシール構造を示すものである。一方のＡＬＣパネル１の小口面が他方のＡＬＣパネル１の表面側（建物の外側）に当接して建物の入り隅部を形成し、該一方のＡＬＣパネル１の小口面に縦目地部３に沿って吸水膨潤性の乾式シール材５及び湿式シール材６を設けるための切欠部１ａが形成されている。
【００３９】
そして、縦目地部３の切欠部１ａと他方のＡＬＣパネル１の表面とにより形成された空間に建物の外側（図８の下側）から縦目地部３の内側に沿って乾式シール材５が挿入して装着され、該縦目地部３の表面側に沿って湿式シール材６が充填される。
【００４０】
本実施形態の乾式シール材５は図８に示すように断面が５角形状（長方形の角部を斜めに削除した形状）で構成されており、鋭角の先端部５ｂから縦目地部３に挿入される。尚、図８中、５ｃはＡＬＣパネル１の横方向に形成された溝１ｃに対応して形成された突起部である。
【００４１】
また、図示しないが、上下に隣設されるＡＬＣパネル１の夫々の横目地部には前述した第１実施形態と同様に建物の外側から該横目地部の内側に沿って乾式シール材５が挿入して装着され、該横目地部の表面側に沿って湿式シール材６が充填される。他の構成は、前記第１実施形態と同様に構成され、同様な効果を得ることが出来る。
【００４２】
尚、前記吸水膨潤性の乾式シール材４，５は、吸水性ポリマーを混入した軟質ウレタンフォームの他に超吸水性繊維製シール材を適用することも可能である。乾式シール材４，５を超吸水性繊維製シール材で構成した場合にも同様に侵入してきた水に接触している部分の繊維のみが吸水して膨潤し、水の通路を遮蔽すると共に膨潤することにより接触界面の圧縮力が増加して水密性能を向上させることが出来る。
【００４３】
【発明の効果】
本発明は、上述の如き構成と作用とを有するので、吸水膨潤性の乾式シール材と湿式シール材により２重シール構造として水密性能を確保し、外壁パネルの取付後に吸水膨潤性の乾式シール材及び湿式シール材を施工することが出来るので外壁パネルの施工作業が容易に出来る。
【００４４】
また、吸水膨潤性の乾式シール材を目地交差部において重ねて連続状態で交差させた場合には、目地交差部に特殊形状の乾式シール材を使用する必要がなく、シール材の部品点数を削減してコストダウンを図ると共に継ぎ目の数を削減して水密性能を向上することが出来る。
【００４５】
また、水平の目地部または垂直の目地部の一方に装着される前記乾式シール材の断面が円形または略円形であり、他方に装着される前記乾式シール材の断面が方形または台形である場合には、目地交差部のシール性が良く、施工性も良い。
【図面の簡単な説明】
【図１】  本発明に係る外壁パネルの目地構造の第１実施形態を示す斜視図である。
【図２】  第１実施形態の横目地部の構成を示す縦断面説明図である。
【図３】  第１実施形態の縦目地部の構成を示す横断面説明図である。
【図４】  （ａ）は横目地部に断面が台形の乾式シール材を挿入した様子を示す縦断面説明図、（ｂ）は縦目地部に断面が円形の乾式シール材を挿入した様子を示す横断面説明図である。
【図５】  （ａ）は図４（ａ），（ｂ）の乾式シール材の交差部の様子を示す縦断面説明図、（ｂ）は図４（ａ），（ｂ）の乾式シール材の交差部の様子を示す横断面説明図である。
【図６】  （ａ），（ｂ）は目地交差部で乾式シール材が開放されて外壁パネルの角の形状に馴染む様子を示す断面説明図である。
【図７】  本発明に係る外壁パネルの目地構造の第２実施形態を示す横断面説明図である。
【図８】  本発明に係る外壁パネルの目地構造の第３実施形態を示す斜視図である。
【図９】  第３実施形態の縦目地部の構成を示す横断面説明図である。
【図10】  従来例を説明する図である。
【符号の説明】
１…ＡＬＣパネル
１ａ…切欠部
１ｃ…溝
２…横目地部
３…縦目地部
４…乾式シール材
４ａ…止水部
４ｂ…上底
４ｃ…下底
４ｄ…高さ
５…乾式シール材
５ａ…止水部
５ｂ…先端部
５ｃ…突起部
６…湿式シール材
７…交差部
11…ＡＬＣコーナーパネル
【図１】
0003966612.tif 000002
【図２】
0003966612.tif 000003
【図３】
0003966612.tif 000004
【図４】
0003966612.tif 000005
【図５】
0003966612.tif 000006
【図６】
0003966612.tif 000007
【図７】
0003966612.tif 000008
【図８】
0003966612.tif 000009
【図９】
0003966612.tif 000010
【図１０】
0003966612.tif 000011